(57)【特許請求の範囲】
【請求項１】
４００Ｖあるいは２００Ｖの低圧用３相交流発電機の通電試験用簡易型負荷抵抗器であって、
方形状に枠組みされた角フレーム（１３）と、
前記角フレーム（１３）内に所定間隔をおいて平行に複数本取り付けられる、略円筒状をなす基体（１）と、該基体（１）の外周長手方向に間隔をおいて複数枚取り付けられ、基体（１）外周より外側へ略環状に張り出す張り出し片（２・・・）と、前記基体（１）の内部に設置される抵抗用素材（３）と、該抵抗用素材（３）と前記基体（１）の内壁との間に充填された粉末状をなす絶縁部材（４）と、前記基体（１）の両端部と、該基体（１）の両端部より外側に配置され前記抵抗用素材（３）に接続された接続用端子（５）との間に介在され、前記基体（１）と略同等の外形をなすと共に、前記基体の両端部内壁内に嵌り込んで取り付けられる凸状嵌り込み部を有する、基体（１）の長手方向に向かい取り付けられる絶縁部材（６）と、を有し、
前記接続用端子（５）の基端は前記基体（１）の内部で前記抵抗用素材（３）に接続されてなると共に、他端側は雄ねじ状に形成されて、前記絶縁部材（６）を軸心方向に向かい螺通して外側に露出され、該露出部にはナットが螺着されて前記絶縁部材（６）に固定され、さらにナットが螺挿されて接続部材（１４）用の取り付け部が設けられた、定格電圧１１６Ｖ、定格容量１、６７ＫＷ、絶縁耐力１５００Ｖ／１分間の規格からなる負荷抵抗器用抵抗体（１０・・・）の隣り合う接続用端子（５・・・）同士を前記接続部材（１４）で直列接続して形成した抵抗体回路（１２）と、
を備え、
略方形状をなす本体フレーム（１１）内に前記複数の角フレーム（１３・・・）を縦方向に立設させ、横方向に並べ当接させて複数列にして組み込み、かつ各々隣り合う角フレーム（１３、１３）にあっては該角フレーム（１３・・・）の負荷抵抗器用抵抗体（１０・・・）同士が重なり合わない位置に配置して形成した抵抗体回路群（３０）と、
該抵抗体回路群（３０）が設置されるケース（３１）と、
前記抵抗体回路群（３０）の先端部近傍位置に隣接し、前記抵抗体回路群（３０）の先端部から後端部側に向かい送風可能にして縦方向に立設させて取り付けられた冷却用ファン（２４）と、
前記ケース（３１）の底部に取り付けられたキャスター（３５・・・）と、
前記冷却ファン（２４）の外側に取り付けられた枠状補強材（３３）と、
を有する、
ことを特徴とする発電機通電試験用簡易型負荷抵抗器。
【発明の詳細な説明】
【０００１】
【産業上の利用分野】
本発明は、例えば発電機の通電試験に用いられる負荷抵抗器に係り、特に簡単に持ち運びでき、かつ操作が簡単で何人でも迅速に通電試験できる発電機通電試験用簡易型負荷抵抗器に関するものである。
【０００２】
【従来の技術】
従来、発電機の通電試験に用いられる負荷抵抗器としては、一般に水を抵抗体として使用した水抵抗器が知られている。しかしながら、従来の水抵抗器は、大量の水を必要とすると共に、装置が大型化してしまい、さらに試験操作に手間がかかるとの課題があった。
【０００３】
また、試験動作中に抵抗体として使用する水は、前記の如く大量に要するため循環して使用することとしているが、既に使用した水は不純物が多く混入しているため、使用した水を濾過して使用しなければならず、そのための設備も複雑化、かつ高コスト化してしまっているのが現状である。そこで、本発明者は発電機の負荷抵抗器として水を使用しないタイプのいわゆる通電試験に使用される抵抗体を水ではない金属製の部材で構成した発電機通電試験用負荷抵抗器を開発するに至ったのである。
【０００４】
しかも、持ち運びに便利で、簡単に操作できる発電機通電試験用簡易型負荷抵抗器を開発するに至った。
【０００５】
【発明が解決しようとする課題】
この様に、本発明は前記従来の課題を解決するために創案されたものであって、製造コストが安価で、かつ持ち運びに便利で試験操作取り扱いが簡単かつ安全性に優れた発電機通電試験用簡易型負荷抵抗器を提供することを目的とするものである。
【０００６】
【課題を解決するための手段】
本発明は、４００Ｖあるいは２００Ｖの低圧用３相交流発電機の通電試験用簡易型負荷抵抗器であって、
方形状に枠組みされた角フレーム（１３）と、
前記角フレーム（１３）内に所定間隔をおいて平行に複数本取り付けられる、略円筒状をなす基体（１）と、該基体（１）の外周長手方向に間隔をおいて複数枚取り付けられ、基体（１）外周より外側へ略環状に張り出す張り出し片（２・・・）と、前記基体（１）の内部に設置される抵抗用素材（３）と、該抵抗用素材（３）と前記基体（１）の内壁との間に充填された粉末状をなす絶縁部材（４）と、前記基体（１）の両端部と、該基体（１）の両端部より外側に配置され前記抵抗用素材（３）に接続された接続用端子（５）との間に介在され、前記基体（１）と略同等の外形をなすと共に、前記基体の両端部内壁内に嵌り込んで取り付けられる凸状嵌り込み部を有する、基体（１）の長手方向に向かい取り付けられる絶縁部材（６）と、を有し、
前記接続用端子（５）の基端は前記基体（１）の内部で前記抵抗用素材（３）に接続されてなると共に、他端側は雄ねじ状に形成されて、前記絶縁部材（６）を軸心方向に向かい螺通して外側に露出され、該露出部にはナットが螺着されて前記絶縁部材（６）に固定され、さらにナットが螺挿されて接続部材（１４）用の取り付け部が設けられた、定格電圧１１６Ｖ、定格容量１、６７ＫＷ、絶縁耐力１５００Ｖ／１分間の規格からなる負荷抵抗器用抵抗体（１０・・・）の隣り合う接続用端子（５・・・）同士を前記接続部材（１４）で直列接続して形成した抵抗体回路（１２）と、
を備え、
略方形状をなす本体フレーム（１１）内に前記複数の角フレーム（１３・・・）を縦方向に立設させ、横方向に並べ当接させて複数列にして組み込み、かつ各々隣り合う角フレーム（１３、１３）にあっては該角フレーム（１３・・・）の負荷抵抗器用抵抗体（１０・・・）同士が重なり合わない位置に配置して形成した抵抗体回路群（３０）と、
該抵抗体回路群（３０）が設置されるケース（３１）と、
前記抵抗体回路群（３０）の先端部近傍位置に隣接し、前記抵抗体回路群（３０）の先端部から後端部側に向かい送風可能にして縦方向に立設させて取り付けられた冷却用ファン（２４）と、
前記ケース（３１）の底部に取り付けられたキャスター（３５・・・）と、
前記冷却ファン（２４）の外側に取り付けられた枠状補強材（３３）と、
を有する、
ことを特徴とするものである。
【０００７】
【作用】
本発明にかかる発電機通電試験用簡易型負荷抵抗器では、製造が簡単で、かつ負荷抵抗器に用いて発電機の発電試験での試験操作が誰人でも簡単に行え、しかも持ち運びに大変便利である。さらに、その絶縁対策も充分なため、安全に発電機の通電試験（負荷試験）が行える。
【０００８】
【実施例】
以下、図に基づいて本発明に係る実施例を説明する。
図１は本発明を構成する発電機通電試験用負荷抵抗器に用いられる負荷抵抗器用抵抗体１０の構成を示す説明図である。図１において符号１は基体を示す。該基体１は略円筒状をなし、通常略１メートル程度の長さをもって形成されている。
【０００９】
また、前記基体１の外周長手方向には略７ミリメートル程の間隔をおいて基体１の外周へ略環状に張り出す複数枚の張り出し片２・・・が取り付けられている。
そして、基体１の内部には電熱線などの抵抗用素材３が配置され、この抵抗用素材３に通電され、該負荷抵抗器用抵抗体１０を通して発電機などが正常に発電しているか否かの通電試験が行われるものとなる。
【００１０】
しかして、前記した複数枚の張り出し片２・・・はこの抵抗用素材３に通電した際に生ずる熱を放熱する機能を果たす。ここで、抵抗用素材３の両端は基体１の両端側に設けられた接続用端子５、５と接続されている。そして、抵抗用素材３と基体１の内壁との間には通電される抵抗用素材３と基体１とを絶縁するため、略粉末状に構成された絶縁部材４が充填されている。
【００１１】
さらに、図１から理解されるように、前記抵抗用素材３に接続された接続用端子５、５と基体１の両端部との間には絶縁部材６が介在されている。
以上において、本発明の一使用状態について説明する。ここで、負荷抵抗器用抵抗体１０は、通常例えば図２、図３に示すように、負荷抵抗器内に複数本（１０２本程度）設置されて使用される。
【００１２】
そして、この負荷抵抗器用抵抗体１０は、１本あたり例えば定格電圧１１６Ｖ、定格容量１、６７ＫＷ、絶縁耐力１５００Ｖ／１分間
等の規格で構成され、４００Ｖあるいは２００Ｖのいわゆる低圧用発電機の通電試験に複数本使用されるものとなる。
ここで、本実施例では抵抗体回路１２は図２から理解されるように、まず四角状の角フレーム１３内に上述した負荷抵抗器用抵抗体１０・・・を所定の間隔をおいて複数本（本実施例では９本程度）取り付けられているが、その中の複数本を利用して形成される。
【００１３】
すなわち、１つの抵抗体回路１２でたとえば４００Ｖの電圧に耐え得る様するためには２本の負荷抵抗器用抵抗体１０、１０が必要となり、当該２本の負荷抵抗器用抵抗体１０、１０を直列接続するべく、それらの接続用端子５、５同士を接続部材１４で接続するのである。
その抵抗体回路１２の展開例を図４に示す。
この図４に示す回路形態では、試験すべき発電機が３相交流タイプであるのでそれにあわせて３相交流タイプとし、合計６本の負荷抵抗器用抵抗体１０・・・を使用して１つの抵抗体回路１２を構成するものとしてある。
【００１４】
従って本実施例では、角フレーム１３の中に取り付けられた９本のうち、６本で１つの抵抗体回路１２が構成されることとなる。これにより、当該１つの抵抗体回路１２で４００Ｖの電圧で略１０ＫＷの容量のものを通電試験できることになる。
しかして、このように各種の抵抗体回路１２の形態が構成、決定されており、本実施例では１０ＫＷの容量のものが３回路（ここでは前述のように１回路６本必要とされるから、合計負荷抵抗器用抵抗体１０の数は１８本、従って角フレーム１３には９本取り付けられているため、２列の角フレーム１３、１３とが必要とされる。）、２０ＫＷの容量のものが６回路（ここでは１回路１２本必要とされるから、合計負荷抵抗器用抵抗体１０の数は７２本、従って８列の角フレーム１３・・・が必要とされる。）５ＫＷの容量のものが２回路（この負荷抵抗器用抵抗体１０としては、定格電圧１１６Ｖ、定格容量０、８３３ＫＷ、絶縁耐力１５００Ｖ／１分間
の規格のものが用意され、該負荷抵抗器用抵抗体１０は１２本必要とされる。 従って２列の角フレームが必要とされる。）設けられることとなる。
【００１５】
さらに、図４で示す２点鎖線の如く、また図６で示す破線のように結線すれば、図５から理解されるような回路構成とすることができ、２００Ｖの電圧からなる発電機の通電試験に対応できる抵抗体回路１２とすることができる様になっている。このように、本体フレーム１１内に複数列の角フレーム１３・・・が組み込まれて抵抗体回路群３０が構成されているのである。
【００１６】
ここで、図３から理解されるように、図に向かって左側の外側から内側に向けて２番目に設置された角フレーム１３は、最も外側の列に位置する角フレーム１３に取り付けられた９本の負荷抵抗器用抵抗体１０・・・の略中間位置に位置する様、すなわち各々の互い違いに位置するよう複数本取り付けられている。これは、各負荷抵抗器用抵抗体１０・・・に電流が流されると、かなりの高温で発熱するため、冷却ファン２４により該負荷抵抗器用抵抗体１０・・・の冷却作業が行わなければならないからである。
【００１７】
しかして、冷却ファン２４による冷却作業が効率よく行われるようにするため、いわゆる複数設置された負荷抵抗器用抵抗体１０・・・が互い違いになり、風当たりを良くするよう配置されているのである。ここで、前述のように複数本負荷抵抗器用抵抗体１０・・・を取り付けた角フレーム１３は本体フレーム１１の中に複数列設置されることとなる。
【００１８】
そして、本実施例では例えば１０ＫＷ程度の容量のものから１６０ＫＷ程度の容量の発電機の試験が可能となるのである。それら容量の異なった発電機の試験を行うときは、マグネットスイッチ（図示せず）などを切り替える切り替えスイッチ３４・・・の操作によって行えばよい。
【００１９】
ところで、冷却ファン２４は前記抵抗体回路群３０を構成する複数本の負荷抵抗器用抵抗体１０・・・を効率よく冷却するよう該抵抗体回路群３０に隣接して設けられている。また、ケース３１の底部にはキャスター３５・・・が複数取り付けられて容易に移動、運搬できるようになっている。
【００２０】
さらに、本実施例では冷却ファン２４の外側に方形状に突出する枠状補強材３３が設けられ、この枠状補強材３３を底部にして設置できるように構成されている。すなわち、試験を行う場所によっては、冷却ファン２４による送風を横側方向（水平方向）に出すことができない場所もあり、そのような場所では冷却ファン２４を下側になるよう設置し、送風方向を下側から上側にすることができるものとなる。
【００２１】
【発明の効果】
以上説明したように本発明によれば、水を全く必要としない、いわゆる乾式タイプの発電機通電試験用の負荷抵抗器を安価に提供でき、かつ試験操作取り扱いも簡単で安全性に優れた発電機通電試験用の負荷抵抗器を提供できる。
【図面の簡単な説明】
【図１】  本発明による負荷抵抗器用抵抗体の概略構成説明図である。
【図２】  本発明による抵抗体回路の概略構成説明図（その１）である。
【図３】  本発明の概略構成説明図（その１）である。
【図４】  本発明による抵抗体回路の概略構成説明図（その２）である。
【図５】  本発明による抵抗体回路の概略構成説明図（その３）である。
【図６】  本発明による抵抗体回路の概略構成説明図（その４）である。
【図７】  本発明の概略構成説明図（その２）である。
【符号の説明】
１  基体
２  張り出し片
３  抵抗用素材
４  絶縁部材
５  出力端子
６  絶縁部材
１０  負荷抵抗器用抵抗体
１１  本体フレーム
１２  抵抗体回路
１３  角フレーム
１４  接続部材
２４  冷却ファン
３０  抵抗体回路群
３１  ケース
３３  枠状補強材
３４  切り替えスイッチ
３５  キャスター
【図１】
0003718875.tif 000002
【図２】
0003718875.tif 000003
【図３】
0003718875.tif 000004
【図４】
0003718875.tif 000005
【図５】
0003718875.tif 000006
【図６】
0003718875.tif 000007
【図７】
0003718875.tif 000008